(57)【特許請求の範囲】
【請求項１】
人の腕又は脚に装着されるようにされた空気圧式マッサージ具であって、
一端から他端にまで筒状に延在する周側部と、
該周側部の内周面に沿って配置され、周方向での第１端部から第２端部にまで延びる弧状の横断面形状を有する空気室と、
前記周側部の外周面上において前記空気室の前記第１端部に近接して設けられ前記周側部の前記一端から他端まで直線的に延びる第１のスライドファスナーと、
前記周側部の外周面上において前記空気室の前記第２端部に近接して設けられて前記周側部の前記一端から他端まで直線的に延び、前記第１のスライドファスナーと取り外し可能に結合される第２のスライドファスナーと、
を備え、圧縮空気を前記空気室に供給することによりマッサージ作用を行う空気式マッサージ具であって、
前記マッサージ作用を行うのに、前記第１のスライドファスナーと前記第２のスライドファスナーとを結合した収縮形態と前記第１のスライドファスナーと前記第２のスライドファスナーとを結合しない拡張形態とのいずれかの形態を選択可能であり、
前記収縮形態のときには、前記周側部の前記第１のスライドファスナーと前記第２のスライドファスナーとの間の径調整部分が撓んだ状態となり、前記空気室に圧縮空気が供給されて前記空気室が膨らんだときに、撓んだ状態の前記径調整部分が前記空気室の前記第１端部と前記第２端部との間の隙間内に収容されるようにされた、空気圧式マッサージ具。
【請求項２】
前記第１のスライドファスナーと第２のスライドファスナーとが互いに結合されていない状態において、前記周側部の前記一端における前記第１のスライドファスナーと第２のスライドファスナーとの間の幅が前記周側部の前記他端における前記第１のスライドファスナーと第２のスライドファスナーとの間の幅よりも広くなるようにされている、請求項１に記載の空気圧式マッサージ具。
【請求項３】
請求項１又は２に記載の空気圧式マッサージ具と、
前記空気圧式マッサージ具の前記空気室に対する圧縮空気の給気及び排気を行うための圧縮空気制御装置と、
を備える空気圧式マッサージ装置。
【発明の詳細な説明】
【技術分野】
【０００１】
本発明は、人の腕又は脚に装着されるようにされた空気圧式マッサージ具、及び該空気圧式マッサージ具を備える空気圧式マッサージ装置に関する。
【背景技術】
【０００２】
従来から、複数の空気室を有するマッサージ具を腕や脚に装着した状態でマッサージ具の各空気室の加圧と除圧とを繰り返すことで腕や脚のマッサージをするようにした空気圧式マッサージ装置が知られている。このような空気圧式マッサージ装置においては、通常、マッサージ具が筒状の形状を有しており、その一端から腕や脚を挿入することによってマッサージ具を装着するようになっている。このとき、マッサージ具の内径がその人の腕や脚の太さに対してあまり余裕がないと、マッサージ具を装着しづらくなってしまう。または、マッサージ具の内径がその人の腕や脚の太さに対してあまりに大きいと、空気室による身体への加圧が十分になされず適切なマッサージ効果を得られなくなってしまう。
【０００３】
このような問題を解決するためのマッサージ具として、例えば特許文献１に示すように、その周長を調整できるようにしたものがある。このマッサージ具においては、マッサージ具の長手方向に沿ってスライドファスナーが設けてあり、マッサージ具の径を大きくする際には、このスライドファスナーを一旦外し、外したスライドファスナーの間に別部材の拡張用の補助具をそのスライドファスナーによって取付けて周長を大きくするようにしている。また、別の形態のマッサージ具では、小径用と大径用の２対のスライドファスナーが設けられており、マッサージ具の径を小さくする際には大径用のスライドファスナーを外して小径用のスライドファスナーを結合し、径を大きくする際には小径用のスライドファスナーを外して大径用のスライドファスナーを結合するようにしている。このような構造によって、装着する人の腕や脚の太さに合わせてマッサージ具の径を変更できるようにしている。
【先行技術文献】
【特許文献】
【０００４】
【特許文献１】実公昭５９−４００１７号公報
【発明の概要】
【発明が解決しようとする課題】
【０００５】
しかしながら、上述の従来のマッサージ具においては、マッサージ具の径を変更するために複数のスライドファスナーを外したり結合したりする必要があるため、その作業が煩雑である。特にマッサージ具を腕又は脚に装着した状態で径の変更をしたいときには、その作業がより煩雑になり、場合によってはマッサージ具を一旦外してからでないと径を変更できなくなる。また、マッサージ具の径を変更するためにスライドファスナーを外すと、マッサージ具は筒形状を維持できなくなって展開してしまうので、意図せず腕や脚から外れてしまうことがある。そのような時には、マッサージ具を腕や脚に対して適切な位置に合わせて保持した状態で別のスライドファスナーを結合しなければならなくなるため、その作業はさらに煩雑になる。そのため、より容易に径の変更ができるようされたマッサージ具が望まれていた。
【０００６】
本発明は、このような点に鑑み、より容易に径を変更することが可能な空気圧式マッサージ具、及びそのようなマッサージ具を備えた空気圧式マッサージ装置を提供することを目的とする。
【課題を解決するための手段】
【０００７】
すなわち本発明は、
人の腕又は脚に装着されるようにされた空気圧式マッサージ具であって、
一端から他端にまで筒状に延在する周側部と、
該周側部内に配置された空気室と、
前記周側部に設けられた第１の結合部材と、
前記第１の結合部材から前記周側部の周方向に離れた位置において前記周側部に取付けられ、前記第１の結合部材と取り外し可能に結合する第２の結合部材と、
を備え、
前記第１の結合部材と前記第２の結合部材とを結合したときに、前記周側部の前記第１の結合部分と前記第２の結合部分との間の径調整部分が撓んだ状態となるようにされた、空気圧式マッサージ具を提供する。
【０００８】
当該空気圧式マッサージ具においては、マッサージ具の径を小さくする際には第１の結合部材と第２の結合部材とを結合するだけでよく、またマッサージ具の径を大きくする際には第１の結合部材と第２の結合部材との結合を解除するだけでよいので、上述の従来のマッサージ具に比べてより容易にマッサージ具の径を変更することが可能となる。また、当該空気圧式マッサージ具においては、第１及び第２の結合部材を結合した状態でも外した状態でも周側部が筒形状を維持しており、上述の従来のマッサージ部のようにスライドファスナーを外したときに筒形状を維持できなくなって平面状に展開してしまうことがないので、腕又は脚に装着した状態で径の変更を行う際にマッサージ具が意図せず腕又は脚から外れてしまうことがなくなり、マッサージ具の径の変更がより容易に行えるようになる。
【０００９】
好ましくは、前記第１及び第２の結合部材が、前記周側部の外周面上において、前記周側部の前記一端から前記他端にまで該周側部の長手軸線の方向に延在するように配置されているようにすることができる。
【００１０】
このような構成により、マッサージ具全体の径を変更することが可能となる。
【００１１】
好ましくは、前記第１の結合部材と第２の結合部材とが互いに結合されていない状態において、前記周側部の前記一端における前記第１の結合部材と第２の結合部材との間の幅が前記周側部の前記他端における前記第１の結合部材と第２の結合部材との間の幅よりも広くなるように、前記第１及び第２の結合部材が配置されているようにすることができる。
【００１２】
特に人の脚はその付け根から先端に向かって全体として細くなっており、そのため、人毎の脚の太さの差も付け根に近い部分では大きく先端に近い部分では小さくなる傾向にある。上述の構成を有する当該マッサージ具においては、第１の結合部材と第２の結合部材とを結合したときに周側部の一端側ではより大きく縮径し、他端側ではより小さく縮径するようになるので、太さの違う脚に対してもマッサージ具全体に亘ってその径を適切な大きさとすることが可能となる。
【００１３】
具体的には、前記第１及び第２の結合部材がスライドファスナーであるようにすることができる。
【００１４】
本発明はまた、
上記の空気圧式マッサージ具と、
前記空気圧式マッサージ具の前記空気室に対する圧縮空気の給気及び排気を行うための圧縮空気制御装置と、
を備える空気圧式マッサージ装置を提供する。
【００１５】
以下、本発明に係る空気圧式マッサージ具及び空気圧式マッサージ装置の実施形態を添付図面に基づき説明する。
【図面の簡単な説明】
【００１６】
【図１】本発明の一実施形態に係る空気圧式マッサージ装置の使用状態を示す図である。
【図２】図１に示すマッサージ具の拡張形態における正面図である。
【図３】図２のIII−III線における断面図である。
【図４】図１に示すマッサージ具の収縮形態における正面図である。
【図５】図４のＶ−Ｖ線における断面図である。
【発明を実施するための形態】
【００１７】
本発明の一実施形態に係る空気圧式マッサージ装置１は、図１に示すように、人の脚Ｌを包むように装着される筒状の空気圧式マッサージ具１０と、この空気圧式マッサージ具１０にエアチューブ３で接続された圧縮空気制御装置４とを備える。空気圧式マッサージ具１０には、つま先からかかとの付近までを覆う末梢部分から大腿部を覆う中枢部分にまで連続して並べて配置された６つの空気室１８を有している（図３及び図５において６つの空気室の内の１つを示している）。エアチューブ３は空気圧式マッサージ具１０の各空気室１８と圧縮空気制御装置４との間をそれぞれ接続している。圧縮空気制御装置４内には、図示しない、圧縮空気を吐出するエアポンプと、このエアポンプと各エアチューブ３との間に配置された６つの電磁弁と、各空気室１８の圧力を測定するための６つの圧力センサと、６つの電磁弁の駆動を制御する制御回路とが設けられている。エアポンプが稼働している状態で、制御回路によって電磁弁をＯＮにすることで、その電磁弁が圧縮空気供給状態となってエアポンプからの圧縮空気が対応する空気室１８に給気されてその空気室１８が加圧されて膨らみ、電磁弁をＯＦＦにすることで、その電磁弁が圧縮空気排出状態となって対応する空気室１８内の圧縮空気が大気に排気されてその空気室１８が除圧されて縮むようになっている。なお、本実施形態における空気圧式マッサージ装置１は、両脚Ｌを同時にマッサージできるように、２つの空気圧式マッサージ具１０を備え、圧縮空気制御装置４はこれら２つの空気圧式マッサージ具１０の各空気室１８に対する圧縮空気の給気と排気とを制御できるようになっている。
【００１８】
図２乃至図５に示すように、空気圧式マッサージ具１０は、装着したときに脚Ｌの大腿部付近に位置することになる一端１２からつま先に位置することになる他端１４にまで筒状に延在する周側部１６と、この周側部１６内に配置された空気室１８とを有する。周側部１６は、人の脚Ｌの形状に合わせて、先端部分が湾曲したブーツ形状となっている。周側部１６の外周面２０上には、互いに周側部１６の周方向に離れた位置において周側部１６の一端１２から他端１４にまで長手方向に延在するように配置された一対のスライドファスナー（第１及び第２の結合部材）２２ａ、２２ｂが取付けられている。図２及び図３に示すスライドファスナー２２ａ、２２ｂが結合されていない拡張形態では、周側部１６の一対のスライドファスナー２２ａ、２２ｂの間の径調整部分２４が張った状態となる。図４及び図５に示すスライドファスナー２２ａ、２２ｂを結合した収縮形態では、径調整部分２４が弛んで撓んだ状態となる。この収縮形態では、空気圧式マッサージ具１０の周長が小さくなり、従って空気圧式マッサージ具１０の径が小さくなる。このようにしてスライドファスナー２２ａ、２２ｂを結合したり外したりすることにより、空気圧式マッサージ具１０の径を変更することが可能となる。なお、図２及び図４には脚Ｌは描かれていないが、それらの断面図である図３及び図５においては説明のために脚Ｌを２点鎖線で示している。
【００１９】
図２に示すように周側部１６は、人の脚Ｌの形状に合わせて一端１２から他端１４に向かって徐々に縮径するような形状となっている。また、スライドファスナー２２ａ、２２ｂは、スライドファスナー２２ａ、２２ｂを結合していない状態での周側部１６の一端１２における一対のスライドファスナー２２ａ、２２ｂの間の幅が他端１４における幅よりも広くなるように取付けられている。より具体的には、スライドファスナー２２ａ、２２ｂの間の径調整部分２４が、周側部１６の一端１２の付近の幅広部分２４ａと、他端１４の付近の幅狭部分２４ｂと、その間を繋ぐ移行部分２４ｃとからなっており、径調整部分２４の幅が移行部分２４ｃにおいて幅広部分２４ａから幅狭部分２４ｂに向かって徐々に小さくなるようになっている。従って、スライドファスナー２２ａ、２２ｂを結合したときには、周側部１６の一端１２側は他端１４側に比べてより大きく縮径することになる。なお、径調整部分２４の幅は一定とし周側部１６の外周面２０から各スライドファスナー２２ａ、２２ｂが突出する長さを場所毎に変えて、周側部１６の一端１２における一対のスライドファスナー２２ａ、２２ｂの間の幅が他端１４における幅よりも広くなるようにすることもできる。
【００２０】
図３及び図５に示すように、脚Ｌを囲むように位置する空気室１８は周側部１６の径調整部分２４以外の部分に設けられている。また、空気室１８のない径調整部分２４は、空気圧式マッサージ具１０を脚Ｌに装着したときに身体の正面、すなわちすね側に位置するように配置されている。また、スライドファスナー２２ａ、２２ｂが周側部１６の外周面２０上に配置されその内側に径調整部分２４が位置するようにすることにより、スライドファスナー２２ａ、２２ｂを結合する際に、衣服や皮膚をスライドファスナー２２ａ、２２ｂに噛み込むことがないようにもなっている。
【００２１】
上記実施形態における空気圧式マッサージ具１０は、脚Ｌに装着するようになっているが、腕に装着するようにその形状を変更してもよい。また、さらに別のスライドファスナーを設けて、空気圧式マッサージ具１０の径を多段階で変更できるようにすることもできる。さらには、スライドファスナー２２ａ、２２ｂを長手方向で複数に分割し、空気圧式マッサージ具１０の径を所定の部分毎に変更できるようにすることもできる。また、スライドファスナー２２ａ、２２ｂに替えて、例えば、面ファスナー、スナップボタン、フックなどの別の結合部材を用いてもよい。
【符号の説明】
【００２２】
空気圧式マッサージ装置１；エアチューブ３；圧縮空気制御装置４；空気圧式マッサージ具１０；一端１２；他端１４；周側部１６；空気室１８；外周面２０；スライドファスナー（第１及び第２の結合部材）２２ａ、２２ｂ；径調整部分２４；幅広部分２４ａ；幅狭部分２４ｂ；移行部分２４ｃ；脚Ｌ
【図１】
0006280016.tif 000002
【図２】
0006280016.tif 000003
【図３】
0006280016.tif 000004
【図４】
0006280016.tif 000005
【図５】
0006280016.tif 000006